(57)【特許請求の範囲】
【請求項１】
４２０ｎｍ以上且つ４９０ｎｍ以下の波長範囲の青色光を出射する発光素子と、
Ｃｅ3+で賦活された、前記波長範囲に吸収スペクトル特性の極大値を有し、前記発光素子の出射光によって励起されて第１の波長の蛍光を放射する第１の蛍光体、及びＥｕ2+で賦活された、前記波長範囲において単調に減少する吸収スペクトル特性を有し、前記発光素子の出射光によって励起されて第２の波長の蛍光を放射する第２の蛍光体が混在する蛍光体層と
を備え、
前記第１の波長の蛍光、前記第２の波長の蛍光及び前記発光素子から出射される前記青色光が少なくとも混色されて白色光が生成され、
前記青色光の色度の変化に依存する前記白色光の色度の変化が抑制されるように、前記第２の蛍光体よりも吸収特性の４４７ｎｍ〜４５７ｍｍの青色光波長に対する依存性が少ない前記第１の蛍光体と吸収効率が単調に減少する前記第２の蛍光体とが前記蛍光体層に混在する
ことを特徴とことを特徴とする白色発光装置。
【請求項２】
前記第１の蛍光体が、Ｃａ3（Ｓｃ、Ｍｇ）2Ｓｉ3Ｏ12：Ｃｅ3+及びＣａＳｃ2Ｏ4：Ｃｅ3+のいずれかであり、前記青色光によって励起されて黄緑色光を放射し、
前記第２の蛍光体が、Ｓｒ3ＳｉＯ5：Ｅｕ2+及びα−ＳＩＡＬＯＮのいずれかであり、前記青色光によって励起されて橙色光を放射する
ことを特徴とする請求項１に記載の白色発光装置。
【請求項３】
前記第１の波長の蛍光の光量と前記第２の波長の蛍光の光量の比率が、多いほうが７０％以下であるように、前記第１の蛍光体と前記第２の蛍光体が前記蛍光体層に混在することを特徴とする請求項１又は２に記載の白色発光装置。
【請求項４】
前記蛍光体層が、Ｅｕ2+で賦活され、前記青色光によって励起されて赤色光を放射する（Ｓｒ，Ｃａ）ＡｌＳｉＮ3：Ｅｕ2+からなる蛍光体を更に含むことを特徴とする請求項２又は３に記載の白色発光装置。
【発明の詳細な説明】
【技術分野】
【０００１】
本発明は、蛍光体を励起して光を出射する白色発光装置に関する。
【背景技術】
【０００２】
発光ダイオード（ＬＥＤ）などの発光素子を光源に用いて白色光を出射する白色発光装置が実用化されている。白色発光装置を実現するために、赤色光、緑色光、青色光をそれぞれ出射する複数のＬＥＤが使用されたり、青色ＬＥＤと各種の青色励起蛍光体とを組み合わせた擬似白色ＬＥＤが使用されたりしている。一般的には、青色ＬＥＤと、青色光に励起される黄色蛍光体を用いて高効率な白色発光を得る場合が多いが、用途によっては黄色蛍光体を中心に、緑色蛍光体や赤色蛍光体を加えることで、効率を犠牲にしながらも演色性を高めた白色発光装置なども数多く提案、実用化されている。
【０００３】
これら白色ＬＥＤの大きな品質問題の１つとして、「白色色度のばらつき」が挙げられ、大きな原因は２つ考えられる。１つは、蛍光体含有樹脂の塗布量、蛍光体濃度、蛍光体分散性などの制御精度に関する問題で、材料由来（粒径、比重など）やメカ的なテーマである。もう１つは、蛍光体の励起光源でもある青色ＬＥＤの波長や輝度ばらつきによる、蛍光体励起への影響である。特に後者はＬＥＤならではのテーマであり、水銀励起波長２５４ｎｍ固定の一般的な蛍光灯や冷陰極蛍光ランプ（ＣＣＬＦ）等では発生することはない。
【先行技術文献】
【特許文献】
【０００４】
【特許文献１】特開２０１０−２８７９０８号公報
【発明の概要】
【発明が解決しようとする課題】
【０００５】
青色ＬＥＤの波長や輝度ばらつきに起因する白色色度のばらつきについて、エピタキシャル成長技術向上に基づくウェハ面内分布の均一化は大きな課題であるが、使用する蛍光体の種類や構成も大きく関わる。
【０００６】
例えば、ある一定の白色色度を実現するにあたって、青色ＬＥＤの発光波長の選択幅を広げることのできる蛍光体構成についての提案（特許文献１参照）などがある。しかし、色度、輝度ばらつきを極力少なく抑えることのできる蛍光体の組み合わせ、構成については、これまで十分な検討がなされてこなかった。
【０００７】
本発明は、出射光の色度のばらつきが蛍光体の組み合わせによって抑制された白色発光装置を提供することを目的とする。
【課題を解決するための手段】
【０００８】
本発明の一態様によれば、（イ）４２０ｎｍ以上且つ４９０ｎｍ以下の波長範囲の青色光を出射する発光素子と、（ロ）Ｃｅ3+で賦活された、４２０ｎｍ以上且つ４９０ｎｍ以下の波長範囲に吸収スペクトル特性の極大値を有し、発光素子の出射光によって励起されて第１の波長の蛍光を放射する第１の蛍光体、及びＥｕ2+で賦活された、波長範囲において単調に減少する吸収スペクトル特性を有し、発光素子の出射光によって励起されて第２の波長の蛍光を放射する第２の蛍光体が混在する蛍光体層とを備え、第１の波長の蛍光、第２の波長の蛍光及び発光素子から出射される青色光が少なくとも混色されて白色光が生成され、青色光の色度の変化に依存する白色光の色度の変化が抑制されるように、第２の蛍光体よりも吸収特性の４４７ｎｍ〜４５７ｍｍの青色光波長に対する依存性が少ない第１の蛍光体と吸収効率が単調に減少する第２の蛍光体とが蛍光体層に混在する白色発光装置が提供される。
【発明の効果】
【０００９】
本発明によれば、出射光の色度のばらつきが蛍光体の組み合わせによって抑制された白色発光装置を提供できる。
【図面の簡単な説明】
【００１０】
【図１】本発明の実施形態に係る白色発光装置の構成を示す模式図である。
【図２】本発明の実施形態に係る白色発光装置に使用される第１及び第２の蛍光体の吸収スペクトル特性の概念図である。
【図３】本発明の実施形態に係る白色発光装置に使用される蛍光体の例と呼称を示す表である。
【図４】図３に示した蛍光体の吸収スペクトル特性を示すグラフである。
【図５】蛍光体の各種組み合わせによる色度のばらつきを示す表である。
【図６】図５に示した蛍光体の各種組み合わせによる色度のばらつきを示す実測グラフである。
【図７】白色点の色度変動の原理を説明するための概略図である。
【発明を実施するための形態】
【００１１】
次に、図面を参照して、本発明の実施形態を説明する。以下の図面の記載において、同一又は類似の部分には同一又は類似の符号を付している。又、以下に示す実施形態は、この発明の技術的思想を具体化するための装置や方法を例示するものであって、この発明の技術的思想は、構成部品の形状、構造、配置等を下記のものに特定するものでない。この発明の実施形態は、特許請求の範囲において、種々の変更を加えることができる。
【００１２】
本発明の実施形態に係る白色発光装置１は、図１に示すように、青色光を出射する発光素子１０と、発光素子１０の出射光によって励起されて第１の波長の蛍光を放射する第１の蛍光体２１、及び発光素子１０の出射光によって励起されて第２の波長の蛍光を放射する第２の蛍光体２２を含む蛍光体層２０とを備える。
【００１３】
発光素子１０が出射する青色光の波長範囲は、例えば４２０ｎｍ〜４９０ｎｍである。また、図１に白丸で示した第１の蛍光体２１は、セリウム（Ｃｅ３＋）で賦活され、発光素子１０が出射する青色光の波長範囲に吸収スペクトル特性の極大値を有する蛍光体である。図１に黒丸で示した第２の蛍光体２２は、ユーロピウム（Ｅｕ２＋）で賦活された蛍光体である。第１の蛍光体２１及び第２の蛍光体２２の詳細については後述する。
【００１４】
図１に示した白色発光装置１では、上部よりも底部が狭い凹部を有するパッケージ３０の凹部底面に、発光素子１０が配置されている。発光素子１０には、ＬＥＤなどの半導体発光素子が採用可能である。パッケージ３０の凹部は、蛍光体層２０により充填されている。蛍光体層２０には、第１の蛍光体２１及び第２の蛍光体２２を含有するシリコン樹脂などが採用可能である。
【００１５】
パッケージ３０は、基板４０上に実装されている。図示を省略した電気配線が基板４０に配置されており、この電気配線に発光素子１０が電気的に接続されている。例えば発光素子１０がＬＥＤの場合、発光素子１０の正電極と負電極間に電圧を印加することにより発光素子１０に駆動電流が流れる。これにより、発光素子１０から青色光が出射される。
【００１６】
白色発光装置１では、発光素子１０から出射された青色光、第１の蛍光体２１から放射される第１の波長の蛍光、及び第２の蛍光体２２から放射される第２の波長の蛍光が混色して生成された白色光Ｌが、出力面１００から出力される。つまり、白色発光装置１は、青色光を出射する発光素子１０と、青色光により励起される第１の蛍光体２１及び第２の蛍光体２２を含有する蛍光体層２０との組み合わせによって、白色光Ｌを発光する白色発光装置である。
【００１７】
以下に、第１の蛍光体２１及び第２の蛍光体２２について説明する。本発明の実施形態では、青色ＬＥＤから出射される光と、その出射光の一部で励起される２つ以上の蛍光体の発光の合成で白色光を作るが、その最小単位が２つの蛍光体（第１の蛍光体２１、第２の蛍光体２２）である。ここでは第１の蛍光体２１をＣｅ３＋で賦活されたもの、もう一方の第２の蛍光体２２をＥｕ２＋で賦活されたものとした。これらの賦活材は、希土類蛍光体において、いずれも許容遷移の吸収帯を持つものである。そして、本質的にはＣｅ３＋賦活蛍光体とＥｕ２＋賦活蛍光体が必ず混成していること、及び、その混成比は光量として１：１が最も良く、少なくとも一方が３：７以上であることを特徴とする。即ち、３つ以上の蛍光体発光の合成、例えば、（Ｃｅ３＋賦活蛍光体）＋（Ｅｕ２＋賦活蛍光体×２）であっても、その光量比が、３：７〜１：１〜７：３であれば要件が満たせる。なお、特別な理由が無い限り、以下、Ｃｅ３＋を（Ｃｅ）、Ｅｕ２＋を（Ｅｕ）と省略する。
【００１８】
青色励起蛍光体を用いて白色光を得ようとする場合、蛍光体が１種類であれば黄色蛍光体を用いる。図１に示すように２種類の青色励起蛍光体を用いて白色光を合成する場合には、２種類の蛍光体発光で黄色発光になるような構成にする。例えば、微妙に波長の異なる２つの黄色、または緑黄色と橙色、または緑色と赤橙色というような組み合わせになる。この内最も好ましいのは、２つの蛍光体の光量がほぼ等しくなる緑黄色と橙色の組み合わせである。そしてどちらかの蛍光体が（Ｃｅ）賦活であり、もう一方の蛍光体が（Ｅｕ）賦活であることが本発明の実施形態の根幹である。
【００１９】
例えば、（Ｃｅ）賦活された第１の蛍光体２１の発光が緑黄色であれば、具体的な蛍光体として、Ｃａ3（Ｓｃ，Ｍｇ）2Ｓｉ3Ｏ12：Ｃｅ、や、ＣａＳｃ2Ｏ4：Ｃｅなどが挙げられる。また一方の、（Ｅｕ）で賦活された第２の蛍光体２２の発光は橙色であり、具体的には、Ｓｒ3ＳｉＯ5：Ｅｕ又はＳｒ3ＳｉＯ5：Ｅｕ，Ｙｂ、あるいは、「α−ＳＩＡＬＯＮ」と呼ばれる酸窒化物のＣａＸ（Ｓｉ，Ａｌ）12（Ｏ，Ｎ）16：Ｅｕなどが挙げられる。
【００２０】
反対に、（Ｃｅ）賦活された第１の蛍光体２１の発光が橙色であれば、具体的な蛍光体として、ＣａＡｌＳｉＮ3：Ｃｅや、Ｌａ3Ｓｉ6Ｎ11：Ｃｅなどが挙げられる。この場合、他方の（Ｅｕ）で賦活された第２の蛍光体２２の発光は緑黄色となり、具体的には、「β−ＳＩＡＬＯＮ」と呼ばれる酸窒化物の（Ｓｉ，Ａｌ）6（Ｏ，Ｎ）8：Ｅｕや、（Ｃａ，Ｓｒ，Ｂａ）2Ｓｉ5Ｎ8：Ｅｕなどが挙げられる。
【００２１】
勿論、一般的に使用されているその他の蛍光体、例えばＹＡＧと呼ばれるＹ3Ａｌ5Ｏ12：Ｃｅ系列の材料や、ＢＯＳと呼ばれる（Ｃａ，Ｓｒ，Ｂａ）2ＳｉＯ4：Ｅｕ系列の材料を、上記法則に則って使用することも可能である。
【００２２】
また、３つ以上の蛍光体の混合で演色性の高い白色を実現したい場合、上記例に追加して、（Ｅｕ）賦活の赤色蛍光体：（Ｓｒ，Ｃａ）ＡｌＳｉＮ3：Ｅｕなどを加えることも、上記光量比の範囲で可能である。
【００２３】
図２に、第１の蛍光体２１と第２の蛍光体２２の吸収スペクトル特性の概念図を示す。図２に特性Ａで示す第１の蛍光体２１の吸収スペクトル特性は、（Ｃｅ）賦活の特徴を持ち、波長範囲Ｄにおいて極大値を有する。波長範囲Ｄは、発光素子１０が出射する青色光の波長範囲であり、例えば４２０ｎｍ〜４９０ｎｍの範囲である。図２に特性Ｂで示す第２の蛍光体２２の吸収スペクトル特性は、（Ｅｕ）賦活の特徴を持ち、バンドの縮退により単調に変化する。
【００２４】
図２の概念図の具体例として、図３に呼称を示した主な蛍光体の吸収スペクトル特性を図４に示す。（Ｃｅ）賦活された蛍光体であるＹＡＧ（Ｙ3Ａｌ5Ｏ12：Ｃｅ）、ＹＡＧ（Ｇｄ）（（Ｙ、Ｇｄ）3Ａｌ5Ｏ12：Ｃｅ）、ＣＳＳ（Ｃａ3（Ｓｃ、Ｍｇ）2Ｓｉ3Ｏ12：Ｃｅ）、ＣＳＯ（ＣａＳｃ2Ｏ4：Ｃｅ）では、青色光の波長範囲内で吸収率の極大値を有する。一方、（Ｅｕ）賦活された蛍光体であるＳＳＥ（Ｓｒ３ＳｉＯ５：Ｅｕ）、ＳＣＡＳＮ（（Ｓｒ，Ｃａ）ＡｌＳｉＮ３：Ｅｕ）、ＢＯＳ−５６５（（Ｂａ，Ｓｒ）２ＳｉＯ４：Ｅｕ）の吸収率は単調に変化する。
【００２５】
なお、以下、特別な理由が無い限り、簡単のため蛍光体名称を図３に記載した略式呼称で記載する。
【００２６】
次に、これら上記の蛍光体を組み合わせて白色光を得た場合の、光源である青色ＬＥＤの発光波長依存性について、測定結果を図５、図６に示す。図６中の特性Ａ１、Ｂ１、Ｃ１〜Ｃ３の内容は、図５に記載されたものである。
【００２７】
図６に示したｘｙ色度図は、青色ＬＥＤの励起光の基準波長λｐ＝４５２ｎｍで作製した白色点、即ち色温度４０００Ｋの色度（０．３８０４，０．３７６７）を基準点として、上記青色の励起光波長を±５ｎｍ変化させた場合の色度Ｘ、Ｙの変化量を示したものである。
【００２８】
図６において、特性Ａ１は（Ｃｅ）賦活された蛍光体同士であるＹＡＧとＹＡＧ（Ｇｄ）の組み合わせからなる混合物の色度変化特性である。特性Ｂ１は（Ｅｕ）賦活された蛍光体同士であるＢＯＳ−５６５とＢＯＳ−５７３の組み合わせからなる混合物の色度変化特性である。これらに対して、特性Ｃ１は、（Ｃｅ）賦活された蛍光体であるＣＳＳと（Ｅｕ）賦活された蛍光体であるＳＳＥの、異なる賦活材の蛍光体による組み合わせからなる混合物の色度変化特性である。同様に、特性Ｃ２は、（Ｃｅ）賦活のＣＳＳと（Ｅｕ）賦活のＳＣＡＳＮの組み合わせからなる混合物の色度変化特性であり、特性Ｃ３は、（Ｃｅ）賦活のＹＡＧ（Ｇｄ）と（Ｅｕ）賦活のＢＯＳ−５６５の組み合わせからなる混合物の色度変化特性である。
【００２９】
図５及び図６から、（Ｃｅ）賦活された蛍光体同士を組み合わせた場合の特性Ａ１及び（Ｅｕ）賦活された蛍光体同士を組み合わせた場合の特性Ｂ１では、色度Ｘ及び色度Ｙの青色光波長依存性が大きいことがわかる。
【００３０】
これに対して、（Ｃｅ）賦活され、青色光の波長範囲に吸収スペクトル特性の極大値を有する蛍光体と、（Ｅｕ）賦活された蛍光体とを組み合わせた場合には、色度Ｘ及び色度Ｙの青色光波長依存性が小さく、青色光のピーク波長が±５ｎｍずれたときの色度幅は０．００５程度である。特に、視認上問題視される色度Ｙの変化が非常に小さい。
【００３１】
上記のように、（Ｃｅ）賦活され、青色光の波長範囲に吸収スペクトル特性の極大値を有する蛍光体と、（Ｅｕ）賦活された蛍光体とを組み合わせることにより、色度の青色光波長依存性を小さくすることができる。つまり、励起光である青色光の波長にばらつきがあっても、略同一の色度の白色光が得られる。
【００３２】
特に、（Ｃｅ）賦活された蛍光体がＣＳＳ又はＣＳＯであり、（Ｅｕ）賦活された蛍光体がＳＳＥ又はα−ＳＩＡＬＯＮと呼ばれる Ｃａx（Ｓｉ，Ａｌ）12（Ｏ，Ｎ）16：Ｅｕ系である場合に、青色光の波長の変動に対する色度のばらつきが抑制される。
【００３３】
したがって、例えば第１の蛍光体２１にＣＳＳやＣＳＯを採用し、第２の蛍光体２２にＳＳＥやα−ＳＩＡＬＯＮを採用した蛍光体層２０を用いることによって、発光素子１０から出射される青色光の波長の変動に対する色度のばらつきが抑制された白色光Ｌを出力する白色発光装置１を実現できる。このとき、白色発光装置１では、発光素子１０から出射された青色光、第１の蛍光体２１から放射される黄緑色光、及び第２の蛍光体２２から放射される橙光から生成された白色光Ｌが、出力面１００から出力される。
【００３４】
なお、（Ｃｅ）賦活されたＹＡＧと（Ｅｕ）賦活されたＢＯＳを含む蛍光体層２０を使用しても、青色光の波長の変動に対する白色光Ｌの色度のばらつきを抑制できる。また、図５及び図６に示したようにＣＳＳとＳＣＡＳＮとの組み合わせでも、青色光波長に対する色度の依存性は小さい。このため、蛍光色が赤色のＳＣＡＳＮを蛍光体層２０に追加することも可能である。
【００３５】
次に上記効果、結果がもたらされる理由について説明する。具体的には、ある一定の青色光波長で設計された白色ＬＥＤに対して、蛍光体の混合量（濃度）が一定な場合について考える。この場合、作製した白色ＬＥＤの白色色度のバラツキの主要因は、青色ＬＥＤチップの発光波長のバラツキによるものと考えられる。即ち、青色光の発光と青色光励起による２種類以上の蛍光体の混合光とによって作られる白色光の色度は、青色光の「波長のバラツキ」＝「波長の変化」によって、青色の色度そのものが変化すると共に、それぞれの蛍光体の吸収量も変化するため、この２つの作用によって白色光の色度変動がもたらされる。
【００３６】
この特性の概略を図７に示す。図７中、矢印Ｌ１１と矢印Ｌ１２は、青色色度の変化に対応する白色点の色度変化を表しており、任意の設計波長よりも長波長のものであれば矢印Ｌ１１、短波長のものであれば矢印Ｌ１２の方向に変化する。これらは蛍光体に依存しないベクトルである。図７中の矢印Ｌ２１と矢印Ｌ２２は、青色発光波長の変化に伴う蛍光体の吸収効率の増減に起因する色度変化の方向を表したものである。但し、緑色系、橙赤系それぞれの蛍光体の寄与度で上記方向は大きく幅を持つ。矢印Ｌ２１は青色波長の変化（長波側、短波側に関わらず）によって、蛍光体の吸収効率が増加した場合であり、矢印Ｌ２２は蛍光体の吸収効率が減少した場合である。また、矢印Ｌ１１及び矢印Ｌ１２で表される色度変化と、矢印Ｌ２１及び矢印Ｌ２２で表される色度変化とを比較すると、２つの蛍光体吸収特性による色度変動のベクトル和となる矢印Ｌ２１及び矢印Ｌ２２で表される色度変化の方が、白色点の色度変動への影響度は大きい。
【００３７】
以上の中で、白色点の色度変動を極力抑えるためには、青色色度の変化による白色色度の変化方向（矢印Ｌ１１又は矢印Ｌ１２）を相殺する方向に吸収効率が増減（矢印Ｌ２２又は矢印Ｌ２１）する蛍光体構成が好ましい。しかし、吸収特性による色度変動は、２つの蛍光体特性のベクトル和となり、影響度が大き過ぎる。このため、どちらか一方の蛍光体の吸収特性は励起光波長の依存性が殆ど無く、もう一方の蛍光体の吸収効率の増減にのみ色度変動を依存させることがよい。即ち、吸収特性の青色光波長依存性が殆ど無い蛍光体が（Ｃｅ）賦活のものであり、吸収効率が単調に変化する蛍光体が（Ｅｕ）賦活ということになる。具体的には、図６に示された結果となる。
【００３８】
図６の特性Ａ１は２種類のＹＡＧ系蛍光体を用いた場合で、（Ｃｅ）賦活−（Ｃｅ）賦活の組み合わせである。両方の蛍光体が（Ｃｅ）賦活なので、吸収特性の青色波長依存性は少なく、全くなければ青色色度の変化に準じた白色点変動のみなのであるが、２つの蛍光体が共に吸収効率のピークがより長波長側にあるため、青色色度の変動をやや増長するような白色色度の変動となった。
【００３９】
図６の特性Ｂ１は２種類のＢＯＳ系蛍光体を用いた場合で、（Ｅｕ）賦活−（Ｅｕ）賦活の組み合わせである。この場合は、吸収特性による色度変動が青色色度の変化を相殺する方向に働いたのであるが、その影響度が強すぎたため、大幅に逆転している。即ち、青色波長が長波長に変化した場合に白色色度のＹ値が小さくなった。
【００４０】
図６の特性Ｃ１〜Ｃ３はいずれも（Ｃｅ）賦活−（Ｅｕ）賦活の組み合わせである。特性Ｃ１はＣＳＳとＳＳＥの組み合わせであり、特性Ｃ２はＣＳＳとＳＣＡＳＮの組み合わせ、特性Ｃ３はＹＡＧとＢＯＳの組み合わせである。特性Ｃ１〜Ｃ３において白色点の変動幅がより小さく制御されている理由は、上述したとおりである。なお、特性Ｃ１〜特性Ｃ３については、その吸収効率の変動が大きい（Ｅｕ）賦活の蛍光体が橙赤系なので、結果としてＸ値よりもＹ値の変動がより小さく制御されている。
【００４１】
以上に説明したように、本発明の実施形態に係る白色発光装置１では、（Ｃｅ）賦活され、青色光の一定の波長範囲Ｄに吸収率の極大値を有する第１の蛍光体２１を採用し、第１の蛍光体２１と（Ｅｕ）賦活された第２の蛍光体２２を含む蛍光体層２０を形成する。発光素子１０の出射する青色光の波長変動に対して、変動する波長範囲に吸収率の極大値を有する第１の蛍光体２１と、単調に変化する第２の蛍光体２２とを組み合わせることにより、白色光Ｌの色度のばらつきを抑制できる。その結果、発光素子１０の青色の出射光の波長が変動した場合においても、色度のばらつきが少ない白色発光装置１を実現できる。
【００４２】
例えば、経時変化によって発光素子１０の出射光の波長が変動した場合においても、白色発光装置１の出力する白色光Ｌの色度の変動を小さく抑制できる。また、エピタキシャル成長における面内分布などに起因して発光素子１０の出射光の波長が狙い値からはずれて製造された場合であっても、出射光の波長が波長範囲Ｄ内であれば、その発光素子１０を白色発光装置１に使用することができる。つまり、発光素子１０の不良率が低下するため、白色発光装置１の製造コストの増大を抑制できる。
【００４３】
（その他の実施形態）
上記のように、本発明は実施形態によって記載したが、この開示の一部をなす論述及び図面はこの発明を限定するものであると理解すべきではない。この開示から当業者には様々な代替実施形態、実施例及び運用技術が明らかとなろう。
【００４４】
既に述べた実施形態の説明においては、発光素子１０が１つである例を示したが、白色発光装置１が複数の発光素子１０を備えてもよい。
【００４５】
このように、本発明はここでは記載していない様々な実施形態等を含むことは勿論である。したがって、本発明の技術的範囲は上記の説明から妥当な特許請求の範囲に係る発明特定事項によってのみ定められるものである。
【符号の説明】
【００４６】
１…白色発光装置
１０…発光素子
２０…蛍光体層
２１…第１の蛍光体
２２…第２の蛍光体
３０…パッケージ
４０…基板
１００…出力面
【図１】
0005990911.tif 000002
【図２】
0005990911.tif 000003
【図３】
0005990911.tif 000004
【図４】
0005990911.tif 000005
【図５】
0005990911.tif 000006
【図６】
0005990911.tif 000007
【図７】
0005990911.tif 000008